(57)【要約】【課題】反発性能の高いゴルフクラブヘッドを提供する。【解決手段】本発明に係るゴルフクラブヘッドは、フェース部と、クラウン部と、ソール部と、を備え、前記フェース部、クラウン部、及びソール部により囲まれた内部空間を有し、前記ソール部には、トゥ−ヒール方向に延び、前記内部空間側に向かって窪んだ第１溝及び第２溝が形成され、前記第１溝は、前記第２溝よりもフェース側に配置され、前記第１溝は、フェース側に配置された第１主内壁と、バック側に配置された第１副内壁と、を有し、前記第１主内壁は、前記第１副内壁よりもフェース−バック方向の長さが長く形成されるとともに、バック側にいくにしたがって上方に向かうように傾斜し、前記第２溝は、フェース側に配置された第２副内壁と、バック側に配置された第２主内壁と、を有し、前記第２主内壁は、前記第２副内壁よりもフェース−バック方向の長さが長く形成されるとともに、フェース側にいくにしたがって上方に向かうように傾斜している。【選択図】図５
2018007825.tif 000002
【特許請求の範囲】
【請求項１】
フェース部と、
クラウン部と、
ソール部と、
を備え、
前記フェース部、クラウン部、及びソール部により囲まれた内部空間を有し、
前記ソール部には、トゥ−ヒール方向に延び、前記内部空間側に向かって窪んだ第１溝及び第２溝が形成され、
前記第１溝は、前記第２溝よりもフェース側に配置され、
前記第１溝は、フェース側に配置された第１主内壁と、バック側に配置された第１副内壁と、を有し、
前記第１主内壁は、前記第１副内壁よりもフェース−バック方向の長さが長く形成されるとともに、バック側にいくにしたがって上方に向かうように傾斜し、
前記第２溝は、フェース側に配置された第２副内壁と、バック側に配置された第２主内壁と、を有し、
前記第２主内壁は、前記第２副内壁よりもフェース−バック方向の長さが長く形成されるとともに、フェース側にいくにしたがって上方に向かうように傾斜している、ゴルフクラブヘッド。
【請求項２】
前記第２溝は、前記第１溝よりも深い、請求項１に記載のゴルフクラブヘッド。
【請求項３】
前記第１溝は、フェース側に配置された第１主内壁と、バック側に配置された第１副内壁と、を連結することで形成され、
前記第２溝は、フェース側に配置された第２副内壁と、バック側に配置された第２主内壁と、を連結することで形成されている、請求項１または２に記載のゴルフクラブヘッド。
【請求項４】
前記ソール部は、
前記第１溝よりもフェース側に位置し、前記ソール部を地面に設置したときに当該地面に接する第１接地部と、
前記第１溝と前記第２溝との間に位置し、前記ソール部を前記地面に設置したときに当該地面に接する第２接地部と
をさらに備えている、請求項１から３のいずれかに記載のゴルフクラブヘッド。
【請求項５】
前記第１接地部及び前記第２接地部は、前記ソール部を前記地面に設置したときに、側方断面視において当該地面に線で接するように構成されている、請求項４に記載のゴルフクラブヘッド。
【請求項６】
前記ソール部は、前記第２溝よりもバック側に位置し、前記ソール部を前記地面に設置したときに当該地面に接する第３接地部をさらに有する、請求項４または５に記載のゴルフクラブヘッド。
【請求項７】
前記ソール部は、前記第１主内壁及び第２主内壁の少なくとも１つにおいて、前記トゥ−ヒール方向に延びる厚肉部をさらに有する、請求項１から６のいずれかに記載のゴルフクラブヘッド。
【請求項８】
前記ソール部は、少なくとも前記第１溝の位置においてフェース−バック方向に延びる厚肉部をさらに有する、請求項１から７のいずれかに記載のゴルフクラブヘッド。
【請求項９】
トゥ−ヒール方向において、前記第１溝は、前記第２溝よりも短い、請求項１から８のいずれかに記載のゴルフクラブヘッド。
【請求項１０】
前記第１溝及び前記第２溝の少なくとも一方は、平面視において、バック側に向かって凸状となるように延びている、請求項１から９のいずれかに記載のゴルフクラブヘッド。
【発明の詳細な説明】
【技術分野】
【０００１】
本発明は、ゴルフクラブヘッドに関する。
【背景技術】
【０００２】
飛距離の向上は、ゴルファーの永遠のテーマである。そのため、ゴルフクラブヘッドの設計においては、ゴルフクラブヘッドの反発性能を向上させるための工夫が様々になされている。
【０００３】
ところで、特許文献１には、ソール部に複数の溝が形成されたゴルフクラブヘッドが開示されている。
【先行技術文献】
【特許文献】
【０００４】
【特許文献１】米国特許第８５１７８６０号明細書
【発明の概要】
【発明が解決しようとする課題】
【０００５】
多くの場合、ソール部に形成された溝は、ゴルフクラブヘッドの反発性能の向上に寄与する。しかしながら、反発性能のさらなる向上を目指すならば、単に溝を形成しさえすればよいというものではなく、溝の構成にさらなる工夫が求められる。そして、本発明者らは、特に複数の溝を形成する場合には、それらの溝の相対的な構成に工夫を加えることが重要であると考えた。
【０００６】
本発明は、反発性能の高いゴルフクラブヘッドを提供することを目的とする。
【課題を解決するための手段】
【０００７】
本発明に係るゴルフクラブヘッドは、フェース部と、クラウン部と、ソール部と、を備え、前記フェース部、クラウン部、及びソール部により囲まれた内部空間を有し、前記ソール部には、トゥ−ヒール方向に延び、前記内部空間側に向かって窪んだ第１溝及び第２溝が形成され、前記第１溝は、前記第２溝よりもフェース側に配置され、前記第１溝は、フェース側に配置された第１主内壁と、バック側に配置された第１副内壁と、を有し、前記第１主内壁は、前記第１副内壁よりもフェース−バック方向の長さが長く形成されるとともに、バック側にいくにしたがって上方に向かうように傾斜し、前記第２溝は、フェース側に配置された第２副内壁と、バック側に配置された第２主内壁と、を有し、前記第２主内壁は、前記第２副内壁よりもフェース−バック方向の長さが長く形成されるとともに、フェース側にいくにしたがって上方に向かうように傾斜している。
【０００８】
上記ゴルフクラブヘッドにおいて、前記第２溝は、前記第１溝よりも深くすることができる。
【０００９】
上記各ゴルフクラブヘッドにおいて、前記第１溝は、フェース側に配置された第１主内壁と、バック側に配置された第１副内壁と、を連結することで形成され、前記第２溝は、フェース側に配置された第２副内壁と、バック側に配置された第２主内壁と、を連結することで形成されているものとすることができる。
【００１０】
上記各ゴルフクラブヘッドにおいて、前記ソール部は、前記第１溝よりもフェース側に位置し、前記ソール部を地面に設置したときに当該地面に接する第１接地部と、前記第１溝と前記第２溝との間に位置し、前記ソール部を前記地面に設置したときに当該地面に接する第２接地部と、をさらに備えることができる。
【００１１】
上記各ゴルフクラブヘッドにおいて、前記第１接地部及び前記第２接地部は、前記ソール部を前記地面に設置したときに、側方断面視において当該地面に線で接するように構成されているものとすることができる。
【００１２】
上記各ゴルフクラブヘッドにおいて、前記ソール部は、前記第２溝よりもバック側に位置し、前記ソール部を前記地面に設置したときに当該地面に接する第３接地部をさらに有することができる。
【００１３】
上記各ゴルフクラブヘッドにおいて、前記ソール部は、前記第１主内壁及び第２主内壁の少なくとも１つにおいて、前記トゥ−ヒール方向に延びる厚肉部をさらに有することができる。
【００１４】
上記各ゴルフクラブヘッドにおいて、前記ソール部は、少なくとも前記第１溝の位置においてフェース−バック方向に延びる厚肉部をさらに有することができる。
【００１５】
上記ゴルフクラブヘッドにおいて、トゥ−ヒール方向において、前記第１溝は、前記第２溝よりも短くすることができる。
【００１６】
上記各ゴルフクラブヘッドにおいて、前記第１溝及び前記第２溝の少なくとも一方は、平面視において、バック側に向かって凸状となるように延びているものとすることができる。
【発明の効果】
【００１７】
本発明に係るゴルフクラブヘッドによれば、反発性能を高くすることができる。
【図面の簡単な説明】
【００１８】
【図１】本発明の第１実施形態に係るゴルフクラブヘッドの斜視図である。
【図２】図１のゴルフクラブヘッドの基準状態での平面図である。
【図３】図２のＡ−Ａ線断面図である。
【図４Ａ】フェース部の境界を説明する図である。
【図４Ｂ】フェース部の境界を説明する図である。
【図５】図１のゴルフクラブヘッドをトゥ側から見た基準状態での側面図である。
【図６】図１のゴルフクラブヘッドの基準状態での底面図である。
【図７】図３において点線で囲まれたソール部付近の領域の部分拡大図である。
【図８】図１のゴルフクラブヘッドの模式的な側方断面図である。
【図９】本発明に係る他のゴルフクラブヘッドの模式的な側方断面図である。
【図１０】本発明に係る他のゴルフクラブヘッドの基準状態での底面図である。
【図１１】本発明に係る他のゴルフクラブヘッドの基準状態での底面図である。
【図１２Ａ】本発明に係る他のゴルフクラブヘッドの基準状態での底面図である。
【図１２Ｂ】図１２ＡのＢ−Ｂ線断面図である。
【図１２Ｃ】図１２ＡのＣ−Ｃ線断面図である。
【図１３Ａ】本発明に係る他のゴルフクラブヘッドの基準状態での底面図である。
【図１３Ｂ】図１３ＡのＤ−Ｄ線断面図である。
【図１３Ｃ】図１３ＡのＥ−Ｅ線断面図である。
【図１４】本発明に係る他のゴルフクラブヘッドの基準状態での底面図である。
【発明を実施するための形態】
【００１９】
以下、図面を参照しつつ、本発明のいくつかの実施形態に係るゴルフクラブヘッドについて説明する。
【００２０】
＜１．ゴルフクラブヘッドの概要＞
図１は、このゴルフクラブヘッドの斜視図、図２は、ヘッドの基準状態での平面図、図３は、図２のＡ−Ａ線断面図である。図１に示すように、このゴルフクラブヘッド（以下、単に「ヘッド」ということがある）１００は、内部空間を有する中空構造であり、フェース部１、クラウン部２、ソール部３、及びホーゼル部５によって壁面が形成されたウッド型のゴルフクラブヘッドである。
【００２１】
フェース部１は、ボールを打球する面であるフェース面を有しており、クラウン部２はフェース部１と隣接し、ヘッドの上面を構成する。ソール部３は、主としてヘッドの底面を構成し、フェース部１とクラウン部２以外のヘッド１００の外周面を構成する。すなわち、ヘッド１００の底面のほか、フェース部１のトウ側からヘッドのバック側を通りフェース部１のヒール側へと延びる部位もソール部３の一部である。さらに、ホーゼル部５は、クラウン部２のヒール側に隣接して設けられる部位であり、ゴルフクラブのシャフト（図示省略）が挿入される挿入孔５１を有している。そして、この挿入孔５１の中心軸線Ｚは、シャフトの軸線に一致している。
【００２２】
ここで、ゴルフクラブヘッド１００を地面に設置するときの基準状態について説明する。まず、図２及び図３に示すように、上記中心軸線Ｚが地面Ｈに対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトゥ−ヒール方向と称し、このトゥ−ヒール方向に対して垂直であり且つ地面に対して平行な方向をフェース−バック方向と称することとする。
【００２３】
本実施形態において、フェース部１とクラウン部２、及びフェース部１とソール部３との境界は、次のように定義することができる。すなわち、両者の間に稜線が形成されている場合には、これが境界となる。一方、明確な稜線が形成されていない場合には、図４Ａに示されるように、ヘッド重心ＧとスイートスポットＳＳとを結ぶ直線Ｎを含む各断面Ｅ１、Ｅ２、Ｅ３…において、図４Ｂに示されるように、フェース外面輪郭線Ｌｆの曲率半径ｒがスイートスポット側からフェース外側に向かって初めて２００ｍｍとなる位置Ｐｅがフェース部１の周縁となり、これがクラウン部２またはソール部３との境界として定義される。なお、スイートスポットＳＳとは、ヘッド重心Ｇを通るフェース面の法線（直線Ｎ）とこのフェース面との交点である。
【００２４】
また、本実施形態において、クラウン部２とソール部３との境界は次のように定義することができる。すなわち、クラウン部２とソール部３との間に稜線が形成されている場合には、これが境界となる。一方、これらの間に明確な稜線が形成されていない場合には、ヘッドを基準状態に設置し、これをヘッド１００の重心の真上から見たときの輪郭が境界となる。
【００２５】
また、ヘッド１００は、例えば、比重がほぼ４．４〜４．５程度のチタン合金（Ｔｉ−６Ａｌ−４Ｖ）で形成することができる。また、チタン合金以外にも、例えばステンレス鋼、マレージング鋼、アルミニウム合金、マグネシウム合金、またはアモルファス合金などの中から１種または２種以上を用いて形成することもできる。
【００２６】
＜２．ゴルフクラブヘッドの組立構造＞
本実施形態に係るゴルフクラブヘッド１００は、図１〜図３に示すように、クラウン部２及びソール部３を有するヘッド本体１０１と、フェース部１及びその周縁から延びる周縁部１５を有するカップ状に形成されたフェース用部材１０２と、を組み立てることで構成される。このヘッド本体１０１は、クラウン部２及びソール部３で囲まれた開口１８を有し、この開口１８を塞ぐようにフェース用部材１０２が取り付けられる。すなわち、フェース用部材１０２の周縁部１５の端面が、ヘッド本体１０１の開口１８の端面と突き合わされ、これらが、溶接によって接合される（いわゆるカップフェース構造）。そして、フェース用部材１０２は、ヘッド本体１０１の開口１８に取付けられることで、ヘッド本体１０１と一体化され、これによって、フェース用部材１０２の周縁部１５は、ヘッド１００のクラウン部２及びソール部３の一部として機能する。したがって、フェース用部材１０２の周縁部１５がヘッド本体１０１に取付けられることで一体的に形成される面が、ヘッド１００のクラウン部２及びソール部３を構成する。そのため、厳密には、ヘッド本体１０１のクラウン部２及びソール部３は、ヘッド１００のクラウン部２及びソール部３の一部ではあるが、本願では、これらを区別することなく、ヘッド本体１０１の各部も、単にクラウン部２、ソール部３と称することがある。
【００２７】
ヘッド本体１０１とフェース用部材１０２とは、例えば、溶接（ＴＩＧ（タングステン−不活性ガス）溶接、プラズマ溶接、レーザー溶接、ロウ付けなど）により接合される。このようなヘッド本体１０１及びフェース用部材１０２は、種々の方法で作製することができる。例えば、ヘッド本体１０１は、公知のロストワックス精密鋳造法などの鋳造によって製造することができる。また、フェース用部材１０２は、例えば、鍛造製法や、平板のプレス加工、鋳造等により製造することができる。なお、ここで説明したヘッド１００の部品構成は例示であり、ここでの例と異なる複数の部品から組み立てることもできる。
【００２８】
＜３．ソール部の構造＞
図５は、ヘッド１００をトゥ側から見た基準状態での側面図、図６は、ヘッド１００の基準状態での底面図、図７は、図３において点線で囲まれたソール部３付近の領域の部分拡大図である。図５〜図７に示すとおり、ソール部３には、内部空間に向かって窪み、トゥ−ヒール方向にほぼ平行に延びる２つの溝が形成されている。ここでは、フェース側の溝を第１溝１０と称し、バック側の溝を第２溝２０と称することとする。また、これらの溝１０，２０は、底面視において、バック側に凸となるようにやや湾曲している。
【００２９】
図５〜図７に示すように、ソール部３には、フェース部１と連結され、トゥ−ヒール方向に延びる帯状の第１接地部３１を有しており、この第１接地部３１のバック側に第１溝１０が連結されている。そして、第１溝１０は、底面視が矩形状に形成されている。また、第１溝１０は、フェース側から延びる第１主内壁１１と、この第１主内壁１１のバック側に配置される第１副内壁１２とが連結されることで、側方断面視においては、概ね三角形状に形成されている。すなわち、第１主内壁１１は、第１接地部３１のバック側の端部からバック側にいくにしたがって上方（クラウン部２側）に向かうように傾斜している。一方、第１副内壁１２は、第１主内壁１１のバック側の端部からバック側にいくにしたがって下方に傾斜している。また、第１主内壁１１のフェース−バック方向の長さは、第１副内壁１２よりも長く、第１溝１０の大半が第１主内壁１１により形成されている。なお、以下では、第１主内壁１１と第１副内壁１２の連結部分、つまり断面三角形状の頂部を、第１頂部１３と称することとする。この第１頂部１３が、第１溝１０の最深部となる。
【００３０】
ソール部３において、第１溝１０のバック側には、トゥ−ヒール方向に延びる帯状の第２接地部３２が設けられている。そして、この第２接地部３２のバック側に第２溝２０が連結されている。第２溝２０は、底面視が概ね帯状に形成されており、第１溝１０よりもトゥ−ヒール方向の長さが長くなっている。すなわち、第１溝１０よりもトゥ側及びヒール側に延びるように形成されている。また、第２溝２０は、第２接地部３２から延びる第２副内壁２１と、この第２副内壁２１のバック側に配置される第２主内壁２２とが連結されることで、側方断面視においては、概ね三角形状に形成されている。すなわち、第２副内壁２１は、第２接地部３２のバック側の端部からバック側にいくにしたがって上方（クラウン部２側）に向かうように傾斜している。一方、第２主内壁２２は、第２副内壁２１のバック側の端部からバック側にいくにしたがって下方に傾斜している。また、第２主内壁２２のフェース−バック方向の長さは、第２副内壁２１よりも長く、第２溝２０の大半が第２主内壁２２により形成されている。なお、以下では、第２主内壁２２と第２副内壁２１の連結部分、つまり断面三角形状の頂部を、第２頂部２３と称することとする。この第２頂部２３が、第２溝２０の最深部となる。
【００３１】
また、第２溝２０のバック側には、トゥ−ヒール方向に延びる帯状の第３接地部３３が設けられている。そして、第３接地部３３は、上述した第１接地部３１及び第２接地部３２とともに、ヘッド１００の基準状態において地面Ｈに接する。このとき、第１及び第２接地部３１，３２は、側面視において地面Ｈとほぼ平行な平坦面を有しているが、第３接地部３３は、第２溝２０と接するフェース側の端縁のみが地面と接するようになっている。この構成により、ヘッド１００は、第１〜第３接地部３１〜３３の３点で、基準状態において地面Ｈに接する。これにより、ゴルファーがヘッド１００を基準状態に構えたときにおいて、地面Ｈ上においてヘッド１００が複数の点で支持され、ヘッド１００が安定する。
【００３２】
ところで、上述した第１溝１０と第２溝２０とを対比すると、以下の通りである。まず、第１溝１０の第１頂部１３は、第２溝２０の第２頂部２３よりも低い位置にある。すなわち、図７に示すとおり、基準面Ｈからの第１溝１０の深さｄ１は、第２溝２０の深さｄ２よりも小さい。また、第１溝１０のフェース−バック方向の長さｗ１は、第２溝２０のフェース−バック方向の長さｗ２よりも長い。
【００３３】
また、ソール部３において、第２溝２０よりもバック側には、トゥ−ヒール方向のほぼ中央付近に平面視台形状の凹部が形成されており、この凹部にはネジにより重量物６０が取り外し可能に取り付けられている。これにより、ヘッド１００の重心がバック側中央に近付くように調整され、さらなる低重心化が図られている。
【００３４】
＜４．特徴＞
本実施形態に係るゴルフクラブヘッドによれば、次の効果を得ることができる。
【００３５】
＜４−１＞
上記のように、第１溝１０においては第１主内壁１１が多くの部分を占め、この第１主内壁１１はバック側にいくにしたがって上方に傾斜している。一方、第１溝１０よりもバック側にある第２溝２０においては第２主内壁２２が多くの部分を占め、この第２主内壁２２はフェース側にいくにしたがって上方に傾斜している。ここで、図８に示すように、第１主内壁１１に沿い、フェース−バック方向に延びる仮想線Ｖ１と、第２主内壁２２に沿い、フェース−バック方向に延びる仮想線Ｖ２とを設定する。そうすると、仮想線Ｖ１及びＶ２は、ヘッド１００の内部空間側へ凸となるように交差するため、第１溝１０及び第２溝２０は、全体として山型に形成される。したがって、フェース部１にボールの打撃力が作用すると、ソール部３は、第１溝１０及び第２溝２０の山型形状により、内部空間側へ凹むように変形しやすくなるため、ヘッド１００の反発性能を向上することができる。
【００３６】
＜４−２＞
ここで、第１溝１０及び第２溝２０は、全体として山型形状となっているが、例えば、第１副内壁１２及び第２副内壁２１をなくし、第１主内壁１１と第２主内壁２２とを直接接続した溝を形成することも考えられるが、そうすると、溝全体が深くなり、ヘッド１００の低重心化が阻害されるという問題がある。これに対して、本実施形態では、第１溝１０と第２溝２０に分け、一方の溝を浅くすることで、溝が全体として深くなるのを抑制し、ヘッド１００の低重心化を図っている。
【００３７】
ところで、第１溝１０と第２溝２０との間隔、つまり第２接地部３２のフェース−バック方向の長さＬ３（最も狭い部分の長さ：図６参照）が大き過ぎると上述した山型形状に起因するソール部３の変形が生じにくくなるおそれがある。また、ソール部３の面積は限られているため、第１溝１０と第２溝２０との間隔が広くなると各溝１０，２０の幅を小さくする必要があり、これによってもソール部３の変形が生じにくくなるおそれがある。一方、この長さＬ３が小さ過ぎると、第２接地部３２に変形時の応力が集中してしまい、ソール部３の強度が低下するおそれがある。以上の観点から、長さＬ３は、例えば、４ｍｍ以上１５ｍｍ以下であることが好ましい。
【００３８】
＜４−３＞
また、一般的に、フェース部１は、打撃時の衝撃に対する耐久性が求められることから、ソール部３よりも剛性が高くなるように設計される。そのため、フェース部１の近傍ではソール部３の剛性が高くなり、ソール部３が変形し難い傾向にある。そこで、上記のように、ソール部３に２つの溝１０，２０を形成すると、フェース部１の近傍に位置する第１溝１０は、ソール部３の剛性の低下に寄与するものの、その寄与度は、よりバック側に位置する第２溝２０のそれよりも小さい。したがって、本実施形態においては、第１溝１０の深さｄ１と第２溝２０の深さｄ２の関係を、ｄ２＞ｄ１としている。すなわち、剛性の低下に効果的に寄与するよりバック側の第２溝２０が相対的に深く、かつ、剛性の低下に相対的に寄与しにくいよりフェース側の第１溝１０が相対的に浅く形成されている。その結果、主としてバック側の第２溝２０により反発性能を効果的に高めつつ、フェース側の第１溝１０を浅くすることで重心位置が高くなることが防止される。すなわち、低重心化が図られている。
【００３９】
＜４−４＞
また、各溝１０，２０のフェース−バック方向の長さと、深さとの関係を次のようにすることができる。まず、第１溝１０については、ｗ１／ｄ１＞１であることが好ましく、ｗ１／ｄ１＞３であることがより好ましく、ｗ１／ｄ１＞６であることがさらに好ましい。かかる条件下では、第１溝１０が相対的にフェース−バック方向に広く、上下方向に浅くなる。よって、ソール部３の反発性能の向上及びヘッド１００の低重心化という、本来的に相反する２つの要求をバランスよく満たすことができる。
【００４０】
同様に、第２溝２０については、ｗ２／ｄ２＞１であることが好ましく、ｗ２／ｄ２＞３であることがより好ましく、ｗ２／ｄ２＞５であることがさらに好ましい。かかる条件下でも、第２溝２０が相対的に前後方向に広く、上下方向に浅くなる。よって、第１溝１０と同様に、ソール部３の反発性能の向上及びヘッド１００の低重心化という、本来的に相反する２つの要求をバランスよく満たすことができる。また、このような関係により、上記＜４−１＞で説明したように、第１溝１０及び第２溝２０を全体として山型に形成することができる。
【００４１】
以上のような観点からすると、１５ｍｍ≦ｗ１≦５０ｍｍであることが好ましく、５ｍｍ≦ｗ２≦４０ｍｍであることが好ましい。また、０．３ｍｍ≦ｄ１≦４ｍｍであることが好ましく、０．５ｍｍ≦ｄ２≦５ｍｍであることが好ましい。さらに、ｄ２／ｗ２＞ｄ１／ｗ１であることが好ましい。
【００４２】
以上のｄ１，ｄ２，ｗ１，ｗ２に関する定量的な条件は、本実施形態では、第１溝１０，第２溝２０が形成されているトゥ−ヒール方向の全域に亘って成立する。しかしながら、これらの条件は、トゥ−ヒール方向に部分的に成立するものであってもよい。その場合、少なくとも、フェースセンターＦｃを通り、トゥ−ヒール方向に直交する断面、すなわち、図３及び図６に示される断面上において、これらの条件が成立することが好ましい。
【００４３】
＜４−５＞
上記のように、ソール部３においては、バック側に配置された第２溝２０がより変形に寄与する。この観点から、第２溝２０の位置は、次のように設定することができる。まず、図６に示すように、基準状態において、フェース−バック方向のヘッド１００の長さをＬ１とし、ヘッド１００の最も前側の点（リーディングエッジの最も前側の点）から第２溝２０のフェース側のエッジまでのフェース−バック方向の長さをＬ２とする（図６参照）。なお、Ｌ１は、ヘッド１００の最も前側の点から、ヘッド１００の最も後側の点までのフェース−バック方向の長さである。
【００４４】
このとき、本実施形態では、Ｌ２／Ｌ１≧０．４であることが好ましく、Ｌ２／Ｌ１≧０．４５であることがより好ましく、Ｌ２／Ｌ１≧０．５であることがさらに好ましい。これにより、第２溝２０が、よりバック側に配置され、フェース部１の高い剛性に起因するソール部３の変形し難い性質の影響を受け難くなる。その結果、ソール部３の反発性能を効果的に向上させることができる。
【００４５】
さらに、Ｌ２／Ｌ１≦０．８であることが好ましく、Ｌ２／Ｌ１≦０．７であることがより好ましく、Ｌ２／Ｌ１≦０．６であることがさらに好ましい。かかる条件下では、第２溝２０が後方に下がり過ぎることがないからである。つまり、第２溝２０が後方に下がり過ぎる、すなわち、フェース面から離れ過ぎると、第２溝２０の近傍に打撃時の変形が及び難くなり、第２溝２０の近傍での撓み量が減少し得る。また、第２溝２０が、ヘッド１００の剛性の高いバック側の外殻に近づき過ぎても、第２溝２０の近傍での撓み量が減少し得る。従って、反発性能を向上させる観点からは、第２溝２０が後方に下がり過ぎないように構成されることが好ましい。
【００４６】
Ｌ２は、湾曲した第２溝２０のフェース側のエッジを基準として定義されるため、トゥ−ヒール方向の位置に応じて変動するが、以上のＬ２／Ｌ１に関する数値条件は、本実施形態では、溝２０が形成されているトゥ−ヒール方向の全域に亘って成立する。しかしながら、以上の数値条件は、トゥ−ヒール方向に部分的に成立するものであってもよい。その場合、少なくとも、フェースセンターＦｃを通り、トゥ−ヒール方向に直交する断面、すなわち、図３及び図８に示される断面上において、上記数値条件が成立することが好ましい。
【００４７】
＜４−６＞
また、上記実施形態では、フェース側に近い第１溝１０を浅くしている。これにより、ゴルフクラブのスイング時にソール部３が地面Ｈ（芝生）につっかかり難く、地面Ｈ上を滑り易くなるという利点がある。
【００４８】
＜４−７＞
第２溝２０は、ソール部３上において、トゥ−ヒール方向の概ね全域に亘って形成される一方、第１溝１０は、ソール部３上において、トゥ−ヒール方向のトゥ寄りの位置にのみ形成されている。すなわち、フェース側の第１溝１０の方が、バック側の第２溝２０よりもトゥ−ヒール方向に短い。その結果、第１溝１０が形成されているトゥ側の位置においては、反発性能が特に向上する。但し、第１溝１０が形成されるトゥ−ヒール方向の位置は、ここでの例に限定されない。すなわち、反発性能を特に向上させたいトゥ−ヒール方向の任意の位置において、選択的に第１溝１０を形成することができる。ただし、後述する図１０、図１１及び図１４に示すように、第１溝１０は、ソール部３上において、トゥ−ヒール方向の概ね全域に亘って形成されていてもよい。その他、第１溝１０及び第２溝２０のトゥ−ヒール方向の長さは、いずれを長くしてもよく、適宜変更することができる。
【００４９】
＜４−８＞
本実施形態では、第１溝１０及び第２溝２０は、底面視において、バック側に向かってトゥ−ヒール方向の中央付近が突出するような円弧（湾曲線）を描いている。その結果、打点の集中するフェースセンターＦｃから第１溝１０までの距離を、第１溝１０のトゥ−ヒール方向の全域にわたって概ね等しくすることができる。同様に、第２溝２０についても、フェースセンターＦｃから第２溝２０までの距離を、第２溝２０のトゥ−ヒール方向の全域にわたって概ね等しくすることができる。これにより、打球時に第１溝１０及び２０近傍を効果的に変形させることができる。
【００５０】
＜５．変形例＞
以上、本発明のいくつかの実施形態について説明したが、本発明は上記実施形態に限定されるものではなく、その趣旨を逸脱しない限りにおいて、種々の変更が可能である。例えば、以下の変更が可能である。また、以下の変形例の要旨は、適宜組み合わせることができる。
【００５１】
＜５−１＞
上記実施形態では、第２溝２０を第１溝１０よりも深く形成しているが、図９に示すように、第１溝１０を深く形成することもできる。このようにしても、第１溝１０及び第２溝２０は、全体として山型に形成されるため、ソール部３は、内部空間側へ凹むように変形しやすくなる。その結果、ヘッド１００の反発性能を向上することができる。
【００５２】
＜５−２＞
上記実施形態では、第２溝２０よりもバック側に重量物を配置しているが、重量物６０の形状、数、取り付け位置は、これに限定されるものではない。すなわち、ここでの例に限定されず、設計目標となる重心位置に応じて、任意の数の重量物６０を任意の位置に取り付けることができる。例えば、図１０の例では、ソール部３の後方だけでなく、第１溝１０内のヒール側の位置にも重量物６０が取り付けられており、重心をヒール側に近付けることができる。また、図１１の例では、ソール部３の後方の重量物６０がなく、第１溝１０内のトゥ側及びヒール側の２箇所に重量物６０が取り付けられており、重心をフェース側に近付けることができる。後述する図１４の例では、ソール部３の後方に位置する重量物６０をトゥ側に少し移動させるとともに、第１溝１０内のヒール側の位置にも重量物６０が取り付けられている。また、重量物の形状についても、平面視台形状以外の円形、多角形状など、種々の形状にすることができる。
【００５３】
＜５−３＞
本発明に係るゴルフクラブヘッドでは、ソール部３の内部空間側の厚肉部を形成することができる。厚肉部は、種々の形態にすることができる。例えば、図１２Ａ〜図１２Ｃに示すように、第１主内壁１１のフェース−バック方向の中央付近において、トゥ−ヒール方向に延びるリブ状の厚肉部４０を形成することができる。この厚肉部４０は、ソール部において、トゥ−ヒール方向の概ね全域に亘って延びている。また、この例では、厚肉部４０が直線状に延びているが、例えば、厚肉部４０は、第１溝１０の形状に沿うように、バック側に向かって凸となるように湾曲していてもよい。
【００５４】
このような厚肉部４０を設けると、フェース−バック方向の剛性の増加は小さいため、フェース−バック方向の反発性能を概ね維持することができる。一方で、厚肉部４０は、ソール部３のトゥ−ヒール方向の剛性を上げることができるため、打球音を高音化することができる。
【００５５】
このような厚肉部４０は、第１主内壁１１に限らず、第２主内壁２２にも形成することもできる。また、このような厚肉部４０は、複数箇所に設けてもよい。
【００５６】
また、フェース−バック方向に延びる厚肉部を形成することもできる。例えば、図１３Ａ〜図１３Ｃに示す例では、第１溝１０及び第２溝２０の両方に跨って、フェース−バック方向に延びる厚肉部５０を形成している。この厚肉部５０は、第１溝１０と第２溝２０とを完全に横断している。ただし、厚肉部５０は、第１溝１０の位置においてのみ延びており、第２溝２０の位置とは重ならないように構成することもできる。
【００５７】
この厚肉部５０は、ソール部３上においてトゥ寄りの位置に配置されているため、トゥ側において、ソール部３の剛性を高め、反発性能を抑制することができる。その一方、トゥ−ヒール方向において厚肉部が設けられていない位置では、第１溝１０及び第２溝２０による反発性能の向上が維持される。なお、厚肉部５０が形成されるトゥ−ヒール方向の位置は、ここでの例に限定されず、反発性能を抑制したいトゥ−ヒール方向の任意の位置において、選択的に厚肉部５０を形成することができる。また、このような厚肉部５０は、複数箇所に設けることができる。
【００５８】
以上のような厚肉部４０，５０は、図１２及び図１３の例に示すような細い突条のリブであってもよいし、これよりも幅の大きい帯状に形成されていてもよい。
【００５９】
＜５−４＞
上記実施形態では、ソール部に、地面に接地する３つの接地部３１〜３３を設けているが、いずれか１つを省略してもよい。例えば、第３接地部３３が省略されたとしても、２点でヘッド１００が支持されるため、ヘッド１００を安定させることができる。特に、第１接地部３１及び第２接地部３２が側方断面視において平坦であり、側方断面視において地面Ｈに線で接する。したがって、基準状態のヘッド１００が前方へも後方へも倒れ難く、基準状態のヘッド１００が安定する。
【００６０】
＜５−５＞
上記実施形態では、各溝１０、２０をバック側に凸となるようにやや湾曲させているが、いずれか一方、または両方をトゥ−ヒール方向と平行に延ばすこともできる。あるいは、図１４に示すように、フェース側に向かってトゥ−ヒール方向の中央付近が突出するような円弧（湾曲線）を描くように形成することもできる。第２溝２０についても、同様である。
【００６１】
＜５−６＞
本発明において、各溝１０、２０の「主内壁１１，２２」とは、各溝１０、２０を形成する複数の内壁のうち、フェース−バック方向の長さが、各溝１０，２０のフェース−バック方向の幅（長さ）の５０％よりも大きい内壁であり、「副内壁１２，２１」より長く形成されていれば、特には限定されない。例えば、第１溝１０及び第２溝２０を形成する各内壁の傾斜角度についても、特には限定されず、第１主内壁１１に沿う仮想線Ｖ１と第２主内壁２２に沿う仮想線Ｖ２とが、ヘッド１００の内部空間側に凸となるように交差していればよい。
【００６２】
また、各主内壁１１，２２及び副内壁１２，２１は、同じ方向に傾斜している限り、複数の面を連結することで形成することもできる。また、主内壁１１，２２と副内壁１２，２１の間に他の内壁を介在させることもできる。このような介在する内壁の傾斜角度は特には限定されないが、例えば、地面と平行であってもよい。
【００６３】
＜５−７＞
上記実施形態では、ソール部３に形成された溝の数は２つであるが、その数はこれに限定されるものではなく、３以上であってもよい。この場合、隣接する２つの溝が本発明における第１溝及び第２溝に相当する。
【００６４】
＜５−８＞
上記実施形態では、ゴルフクラブヘッドをドライバー型としたが、そのタイプは限定されず、例えば、フェアウェイウッドのような別のウッド型であってもよいし、いわゆるユーティリティ型、ハイブリッド型等であってもよい。
【００６５】
＜５−９＞
フェース用部材１０２は、カップフェース型でなくてもよく、例えば、周縁部１５を省略したようなプレート型として、フェース部に形成した開口部に溶接することも可能である。
【符号の説明】
【００６６】
１  フェース部
２  クラウン部
３  ソール部
１０  第１溝
２０  第２溝
１１  第１主内壁
１２  第１副内壁
２１  第２副内壁
２２  第２主内壁
３１  第１接地部
３２  第２接地部
３３  第３接地部
４０  厚肉部
５０  厚肉部
【図１】
2018007825.tif 000003
【図２】
2018007825.tif 000004
【図３】
2018007825.tif 000005
【図４Ａ】
2018007825.tif 000006
【図４Ｂ】
2018007825.tif 000007
【図５】
2018007825.tif 000008
【図６】
2018007825.tif 000009
【図７】
2018007825.tif 000010
【図８】
2018007825.tif 000011
【図９】
2018007825.tif 000012
【図１０】
2018007825.tif 000013
【図１１】
2018007825.tif 000014
【図１２Ａ】
2018007825.tif 000015
【図１２Ｂ】
2018007825.tif 000016
【図１２Ｃ】
2018007825.tif 000017
【図１３Ａ】
2018007825.tif 000018
【図１３Ｂ】
2018007825.tif 000019
【図１３Ｃ】
2018007825.tif 000020
【図１４】
2018007825.tif 000021